(57)【特許請求の範囲】
【請求項１】
基板と前記基板を支持するシャーシと前記基板の一端面と対向し前記基板に対して略直交方向に配設されたパネルとを有するスロットユニットが挿抜自在に収納されるスロット部を、前記スロットユニットが収納された際の前記基板の面に沿う方向に複数並列に配置し、
前記パネルの一端部側に、前記基板とは反対側に向けて前記パネルの厚さ分突出する段付き部を設け、
複数の前記スロット部それぞれに前記スロットユニットが収納された際に、一前記スロットユニットを、前記スロットユニットの前記パネルの前記段付き部が前記段付き部側に隣接する他の前記スロットユニットの前記パネルの端部に重なり合うようにすると共に重なり合った前記パネルの端部と前記段付き部とをねじで共締めして前記スロット部に固定する構成にしたことを特徴とするスロット構造。
【請求項２】
スロット部に複数のスロットユニットを挿抜自在に収納するスロット構造において、
前記スロットユニットは、基板と前記基板を支持するシャーシと前記基板の一端面と対向し前記基板に対して略直交方向に配設されたパネルとを有し、
前記スロット部は、ターミナルパネルに設けられた開口部と、前記開口部から挿入された前記スロットユニットをそれぞれ収納すると共に前記スロットユニットを収納した際の前記基板の面に沿う方向に並列に配置された複数の収納部と、を有し、
前記パネルの一端部側に、前記基板とは反対側に向けて前記パネルの厚さ分突出する第１の段付き部を設けると共に、前記スロット部の前記開口部の一端部近傍に、前記収納部とは反対側に向けて前記パネルの厚さ分突出する第２の段付き部を設け、
前記スロット部の前記一端部側にある第１の収納部と前記第１の収納部に隣接する第２の収納部にそれぞれ第１及び第２のスロットユニットを収納した際に、
前記第１のスロットユニットの前記第１の段付き部が前記スロット部の前記第２の段付き部と重なり合うと共に前記第２のスロットユニットの前記第１の段付き部が前記第１のスロットユニットの前記スロット部における前記開口部の前記一端部とは反対側の端部と重なり合い、かつ、重なり合った前記第２のスロットユニットの前記第１の段付き部と前記第１のスロットユニットの前記反対側の端部とをねじで共締めして、前記第１及び第２のスロットユニットを前記スロット部に固定する構成にしたことを特徴とするスロット構造。
【請求項３】
請求項１または請求項２に記載のスロット構造と電子回路とを備え、
前記基板は、配線パターン及び該配線パターンと電気的に接続された第１のコネクタを有し、
前記スロット部は、前記電子回路と電気的に接続された第２のコネクタを有し、
前記スロットユニットが前記スロット部に収納された際に、前記第１のコネクタと前記第２のコネクタが接続して前記配線パターンと前記電子回路とが電気的に接続されることを特徴とする電子機器。
【発明の詳細な説明】
【技術分野】
【０００１】
本発明は、スロット構造及び電子機器に係り、特に、拡張用の基板を収納したスロットユニットをスロットに挿抜自在としたスロット構造と、この構造を備えた電子機器に関する。
【背景技術】
【０００２】
機能を拡張するための拡張用基板を電子機器に収納する収納構造として、拡張用基板を収納した複数のユニットを挿抜自在とするよう多段化したスロット構造が知られており、その一例として特許文献１に記載されたものがある。
このようなスロット構造は、ＰＣ（パーソナルコンピュータ）等に一般的に採用される一方、各種電子機器にも機能拡張を可能とするために採用される場合が多い。このような電子機器として、例えば、表示装置や測定装置がある。
この従来の基板の収納構造は、複数の基板を、その厚さ方向に並列配置する構造とされていた。
【０００３】
その具体的な例として、電子機器が表示装置の場合について、図１４を用いて説明する。
この表示装置５００は、表示デバイスとしてＣＲＴ（Ｃａｔｈｏｄｅ  Ｒａｙ  Ｔｕｂｅ）５０１が用いられており、そのＣＲＴの形態から奥行き（Ｄ方向）が長い筐体５０１を備えている。
【０００４】
また、この表示装置５００は、その後面５００ｂ側に、機能を拡張する回路を搭載した基板５０３ｐを収納したスロットユニット５０３をその基板５０３ｐの厚さ方向ｄ１に複数個並列配置できるように、スロット５０４を複数段有するスロット部Ｓを備えている（この図１４では４段）。
すなわち、スロットユニット５０３は、スロット５０４に対して後面５００ｂから表示装置５００の前後方向ｄ２に挿抜自在とされてその装置５００の内部に収納される。
【０００５】
このスロット部Ｓは、ＣＲＴ５０２のネック部５０２ｎが先細り形状であることから確保される表示装置５００内の後部側スペースに配設されている。
また、スロットユニットとしては、１枚の基板５０３ｐを収納するスロットユニット５０３と、２枚の基板５０５ｐ１，５０５ｐ２を収納してスロットユニット５０３の２倍の厚さを有するダブルサイズのスロットユニット５０５とが用意され、いずれかが選択されてスロット部Ｓの各スロット５０４に装着される構成となっている。
【特許文献１】特開２００２−３５３６６４号公報
【発明の開示】
【発明が解決しようとする課題】
【０００６】
ところで、近年、表示装置に用いられる表示デバイスは、奥行きの長いＣＲＴに加えて、奥行きが短い液晶表示素子やプラズマパネルや有機ＥＬ（Ｅｌｅｃｔｒｏｎｉｃ  Ｌｕｍｉｎｅｓｃｅｎｔ）素子等が用いられてきている。
そのような薄型の表示デバイスを用いた表示装置は、その表示デバイスの形状に合わせて筐体の奥行きを極めて短くできるので市場から高く評価されている。
【０００７】
しかしながら、この薄型の表示装置において拡張基板を挿抜自在とする場合、従来のスロット構造、すなわち、複数の拡張基板をその厚さ方向にスタックして挿抜自在とする構造を採用することは、空きスペースが確保できないことから困難であり、新しい収納構造が望まれていた。
特に、その収納構造は、薄型の電子機器に搭載された場合にその電子機器の奥行き寸法を小さくするため、収納構造自体の奥行き寸法もできるだけ薄いものであることが必要である。
【０００８】
一方、近年、表示装置等に要望される付加機能は多様化しており、各機能の内容に応じて必要となる基板面積も様々である。
従来の基板の収納構造では、奥行き方向の長さＤ１（図１４参照）が固定であるからスロットユニットの幅Ｗ１（図１４参照）が基準幅となり、これに収まらないような広い面積が必要な機能の場合は、２つのスロットユニット５０３かダブルサイズのスロットユニット５０５に保持させるために、基板を分割しなければならなかった。
【０００９】
周知のように、基板を分割すると、回路のレイアウト効率が大幅に低下し、外部からのノイズの飛び込み等が懸念され、生産工程も独立する等、デメリットが非常に多い。
そのため、基板をできるだけ分割することなく、種々の幅の拡張基板をスロットユニットを介して容易に収納できるスロット構造と、この構造を搭載した電子機器が望まれていた。
また、電子機器においては、その内部から外部へ漏れる電磁波を抑制したり、外部から浴びる電磁波の影響を受けずに安定した動作を維持するよう電磁波耐性を高める必要がある。すなわち、いわゆるＥＭＣ（電磁両立性：Ｅｌｅｃｔｒｏ−Ｍａｇｎｅｔｉｃ  Ｃｏｍｐａｔｉｂｉｌｉｔｙ）を高めておく必要がある。
従来のスロット構造においては、複数のスロットユニット５０４を収納した際の隣接するスロットユニットの間隙部５０４ｂは、スロットユニット５０４のパネル５０４ａの側面が突き合わせになっているだけであり、僅かな隙間が生じている。従って、ＥＭＣを向上させることが難しいものであった。
【００１０】
そこで、本発明が解決しようとする課題は、様々な幅の基板をスロットユニットを介して容易に収納でき、薄型化が可能で、ＥＭＣを向上することができるスロット構造及び電子機器を提供することにある。
【課題を解決するための手段】
【００１１】
上記の課題を解決するために、本発明は次の１）〜３）の手段を有する。
１）  基板と前記基板を支持するシャーシと前記基板の一端面と対向し前記基板に対して略直交方向に配設されたパネルとを有するスロットユニットが挿抜自在に収納されるスロット部を、前記スロットユニットが収納された際の前記基板の面に沿う方向に複数並列に配置し、
前記パネルの一端部側に、前記基板とは反対側に向けて前記パネルの厚さ分突出する段付き部を設け、
複数の前記スロット部それぞれに前記スロットユニットが収納された際に、一前記スロットユニットを、前記スロットユニットの前記パネルの前記段付き部が前記段付き部側に隣接する他の前記スロットユニットの前記パネルの端部に重なり合うようにすると共に重なり合った前記パネルの端部と前記段付き部とをねじで共締めして前記スロット部に固定する構成にしたことを特徴とするスロット構造である。
２）  スロット部に複数のスロットユニットを挿抜自在に収納するスロット構造において、
前記スロットユニットは、基板と前記基板を支持するシャーシと前記基板の一端面と対向し前記基板に対して略直交方向に配設されたパネルとを有し、
前記スロット部は、ターミナルパネルに設けられた開口部と、前記開口部から挿入された前記スロットユニットをそれぞれ収納すると共に前記スロットユニットを収納した際の前記基板の面に沿う方向に並列に配置された複数の収納部と、を有し、
前記パネルの一端部側に、前記基板とは反対側に向けて前記パネルの厚さ分突出する第１の段付き部を設けると共に、前記スロット部の前記開口部の一端部近傍に、前記収納部とは反対側に向けて前記パネルの厚さ分突出する第２の段付き部を設け、
前記スロット部の前記一端部側にある第１の収納部と前記第１の収納部に隣接する第２の収納部にそれぞれ第１及び第２のスロットユニットを収納した際に、
前記第１のスロットユニットの前記第１の段付き部が前記スロット部の前記第２の段付き部と重なり合うと共に前記第２のスロットユニットの前記第１の段付き部が前記第１のスロットユニットの前記スロット部における前記開口部の前記一端部とは反対側の端部と重なり合い、かつ、重なり合った前記第２のスロットユニットの前記第１の段付き部と前記第１のスロットユニットの前記反対側の端部とをねじで共締めして、前記第１及び第２のスロットユニットを前記スロット部に固定する構成にしたことを特徴とするスロット構造である。
３）  １）または２）に記載のスロット構造と電子回路とを備え、
前記基板は、配線パターン及び該配線パターンと電気的に接続された第１のコネクタを有し、
前記スロット部は、前記電子回路と電気的に接続された第２のコネクタを有し、
前記スロットユニットが前記スロット部に収納された際に、前記第１のコネクタと前記第２のコネクタが接続して前記配線パターンと前記電子回路とが電気的に接続されることを特徴とする電子機器である。
【発明の効果】
【００１２】
本発明によれば、様々な幅の基板を、スロットユニットを介して容易に収納でき、薄型化が可能で、ＥＭＣを向上させることができるという効果を奏する。
【発明を実施するための最良の形態】
【００１３】
本発明の実施の形態を、好ましい実施例により図１〜図１３を用いて説明する。
図１は、本発明の電子機器の実施例を示す斜視図である。
図２は、本発明の電子機器の実施例における要部を説明するための第１分解図である。
図３は、本発明の電子機器の実施例における要部を説明するための第２分解図である。
図４は、本発明の電子機器の実施例における要部の第１分解図である。
図５は、本発明の電子機器の実施例における要部の第２分解図である。
図６は、本発明の電子機器の実施例におけるスロットユニットを説明する斜視図である。
図７は、本発明の電子機器の実施例におけるスロットユニットの挿抜過程を説明するための平面図である。
図８は、本発明の電子機器の実施例におけるスロットユニットの収納状態を説明するための斜視図である。
図９は、本発明の電子機器の実施例におけるスロットユニットの収納状態を説明するための他の斜視図である。
図１０は、本発明の電子機器の実施例における他のスロットユニットを説明する斜視図である。
図１１は、本発明の電子機器の実施例における他のスロットユニットの収納状態を説明する図である。
図１２は、本発明の電子機器の実施例におけるスロットユニットと他のスロットユニットとの収納状態を比較説明する図である。
図１３は、本発明の電子機器の実施例における変形例を説明する図である。
図１４は、本発明の電子機器の実施例が奏する一効果を説明する図である。
【００１４】
実施例の電子機器は、液晶表示パネルを用いた画像表示装置であり、以下に詳述する。
図１は、画像表示装置５０の後面側の、設置状態での下方側から眺めた斜視図である。この図１の裏側が内部に収納した液晶表示パネル１の表示面１ａとなっている。以下、設置状態における上，下を、単に上，下と表記する場合がある。
【００１５】
液晶表示パネルの表示面１ａは、その周囲が枠部２により囲まれており、この枠部２とバックパネル３とで、筐体４が構成されている。
この画像表示装置５０は、バックパネル３に設けられた取り付け孔３ｂに固定された脚部（図示せず）や吊り下げ具により、床上に置かれたり天井から吊り下げられて設置される。
【００１６】
この筐体４の内部には、液晶表示パネル１，これを駆動する駆動回路，電源回路や信号処理回路等の電子回路部５及び装置の支持基体となるシャーシ６（図１には図示せず）が収容され、筐体４はこのシャーシ６に固定されている。
バックパネル３は、周囲に放熱孔３ａが設けられると共に、その下部側が一部抉られて表示面１ａと略直交する面であるパネル部Ｐが設けられている。
このパネル部Ｐには、電源入力端子５１ａや各種の入出力端子群５１ｂが配設されている。
また、パネル部Ｐには、スロットユニット７（詳細は後述する）が挿抜自在に取り付けられる２つのスロット部８ａ，８ｂを備えている。このスロット部は２つに限らず３つ以上あってもよいが、ここでは２つの場合について説明する。また、スロット部８ａ，８ｂをまとめてスロット部８と記載する場合がある。
【００１７】
図２は、図１においてバックパネル３を取り外した状態のスロット部８付近の拡大図である。
この図２に示すように、シャーシ６には回路部５を搭載したベース基板９が取り付けられている。
パネル部Ｐは、シャーシ６に垂直に立設固定されたターミナルパネル１０を有しており、このターミナルパネル１０に、入出力端子群５１ｂが取り付けられている。
また、ターミナルパネル１０には、スロットユニット７が通過可能な一対の開口部８ａ１，８ｂ１とこの一対の開口部８ａ１，８ｂ１を連結する連結開口部８ｃとが形成されている。
【００１８】
一方、図２において、スロットユニット７は２つ記載されており、左側のロットユニット７ａはスロット部８ａに途中まで挿入された状態で、また、右側のスロットユニット７ｂはスロット部８ｂから完全に抜かれた状態で示されている。
これらのスロットユニット７は、スロット部８に対して、矢印ｄ１０の方向に挿抜される。この方向は、画像表示装置５０の設置状態における天地方向に相当する。
【００１９】
スロット部８は、ターミナルパネル１０と、表示面１ａに沿う方向に配置されたスロットベース１１と、断面がコ字状に形成され収納したスロットユニット７を覆うように設けられたスロットカバー１２と、ターミナルパネル１０と対向するように配置されたコネクト基板１３とにより、略箱状に形成されている。
すなわち、スロット部８は、ターミナルパネル１０の開口部８ａ１，８ｂ１と少なくともスロットベース１１を含む収納部８ａ２，８ｂ２とによりスロットユニット７が収容可能な略直方体の空間を有するように構成されている。
【００２０】
このスロット部８のスロットカバー１２を外した状態を図３に示す。
コネクト基板１３は、各スロット部８ａ，８ｂの開口部８ａ１，８ｂ１にそれぞれ対向する位置に、コネクタ１３ａ，１３ｂを備えている。
このコネクタ１３ａ，１３ｂは、この画像表示装置５０の電子回路部５と電気的に接続されている。
また、このコネクタ１３ａ，１３ｂは、スロットユニット７ａ，７ｂがスロット部８に収納された際に、スロットユニット７ａ，７ｂのそれぞれが保持する拡張基板１４ａ，１４ｂに取り付けられたコネクタ１４ａ１，１４ｂ１と接続される。
【００２１】
図４は、図３におけるスロット部８及びスロットユニット７のみを拡大した図である。
スロットベース１１には、各スロット部８ａ，８ｂそれぞれに６箇所ずつユニットガイド１５が設けられている。
具体的には、ユニットガイド１５は、スロットユニット７の挿抜方向ｄ１０に沿って設けられた片側３個ずつのガイドであり、各スロットユニット７ａ，７ｂのユニットシャーシ７ａ１，７ｂ１の側面をガイドしてスロットユニット７の挿抜を容易にするものである。
【００２２】
さらに詳しく説明すると、スロット部７の分解図である図５によれば、スロットベース１１は、各縁部に折り曲げ部１１ａを備え、その内の左右側面の折り曲げ部１１ａには、シャーシ６に固定するための脚部１１ｂがそれぞれ一対形成されている。
【００２３】
また、スロットベース１１は、穿設された多数の放熱孔１１ｃを有し、上述したユニットガイド１５が切り起こしにより形成されている。
このユニットガイド１５は、上述したように、スロットユニット７の挿抜方向ｄ１０に沿う方向の４つの列Ｌ１〜Ｌ４を成して形成されている。
各列Ｌ１〜Ｌ４においては、その一列あたり３箇所のユニットガイド１５が設けられている。
列Ｌ１，Ｌ２のユニットガイド１５は、各列が互いに対向し内側（相手の列側）から外側に向かう切り起こしにより形成されている。これは列Ｌ３，Ｌ４についても同様である。
【００２４】
各ユニットガイド１５は、スロットベース１１とほぼ直交する面を有する基面部１５ａと、この基面部１５ａにおいて内側に向けて突出するように形成された突起１５ａ１と、基面部１５ａの挿抜方向ｄ１０の両端部に連接し外側に傾斜するように形成されたガイド部１５ａ２と、を有している。
例えば、スロット部８ａにおいて、列Ｌ１及び列Ｌ２のユニットガイド１５の突起１５ａ１は、両列Ｌ１，Ｌ２間に納められるスロットユニット７ａにおけるユニットシャーシ７ａ１の側面７ａ１ｓに点接触で略当接するようにその間隔が設定されている。
従って、スロットユニット７ａの挿抜の際に、ユニットシャーシ７ａ１の側面に目立つような擦り跡が付き難く、スロットユニット７ａの外観品位を保つことができる。これはスロット部８ｂについても同様である。
【００２５】
ターミナルパネル１０には、上述したように、一対の開口部８ａ１，８ｂ１とこの一対の開口部８ａ１，８ｂ１を連結する連結開口部８ｃとが形成されている。
各開口部８ａ１，８ｂ１は、スロットユニット７の形状に合わせた略長方形状に形成されている。
一方の開口部８ａ１の一短辺（図５における左側）には、絞り加工により板厚分だけ図５の手前側に突出した突出部８ｄが設けられている。この突出部８ｄには雌ねじ８ｅが形成されている。
連結開口部８ｃは、図５の上下方向からそれぞれ延出する一対の延出部８ｆにより形成されており、各延出部８ｆには雌ねじ８ｅが形成されている。
また、他方の開口部８ｂ１における連結開口部８ｃとは反対側の隅部にも、雌ねじ８ｅが一対形成されている。これら合計５箇所の雌ねじ８ｅは、後述するように、スロットユニット７をスロット部８に収納した際のねじによる固定に利用される。
【００２６】
次に、スロットユニット７について、スロットユニット７ａを代表として図６を用いて説明する。
スロットユニット７ａは、拡張基板１４ａと、この拡張基板１４ａを支持し、その拡張基板１４ａの一面側に回路パターン１４ａ１や搭載部品（図示せず）を概ね覆うよう設けられたユニットシャーシ７ａ１と、他面側に回路パターン１４ａ１等（図示せず）を概ね覆うよう設けられたシールドカバー７ａ２と、拡張基板の配線パターン１４ａ１と電気的に接続されたコネクタ１４ａ３と、このコネクタ１４ａ３及びハンドル７ａ４が固定されたスロットパネル７ａ３とにより構成されている。
【００２７】
拡張基板１４ａのスロットパネル７ａ３の反対側には、スロット部８ａにおけるコネクト基板１３のコネクタ１３ａに挿抜可能なコネクタ１４ａ１が設けられている。
スロットパネル７ａ３の長手方向の一端部側（図６の左側）には、当図の手前側にスロットパネル７ａ３の板厚分だけ突出する段部７ａ５が形成されており、他端部側の隅部、及び、段部７ａ５により一段手前側に突出した取り付け面部７ａ６の隅部には、このスロットユニット７ａをスロット部８ａに収納した際に、ターミナルパネル１０とねじで結合するための貫通孔７ａ７が設けられている。
具体的には、取り付け面部７ａ６に３箇所（図４参照）、その反対側端部に２箇所の合計５箇所である。
【００２８】
ユニットシャーシ７ａ１は、スロットパネル１０に沿う方向の断面が略コ字状に形成され、各面には放熱孔７ａ８が穿設されている。また、その側面７ａ１ｓは、上述したように、このスロットユニット７ａがスロット部８ａに対して挿抜される際に、スロットガイド１５の突起１５ａ１が略当接して案内される構成になっている。
【００２９】
以上の、スロットユニット７ａを代表として説明した構成は、スロットユニット７ｂにおいても同様であり、以下の説明においては、両者の対応する部位については符号のａをｂに置き換えて説明する。
【００３０】
次に、各スロット部８ａ，８ｂに対して各スロットユニット７ａ，７ｂがそれぞれ収納された状態及び挿入（排出）途中の状態を、図７を用いて説明する。
図７は、スロット部８において、スロットカバー１２を取り外した状態を示す平面図であり、スロット部８ａについてはスロットユニット７ａが装着された収納状態であり、スロット部８ｂについてはスロットユニット７ｂが挿入途中（または排出途中）の状態である。
【００３１】
各列Ｌ１〜Ｌ４に３つずつ設けられたユニットガイド１５は、コネクト基板１３側とその反対側の端部近傍とそれらの概ね中央となる位置とにそれぞれ形成され、また、各ユニットガイド１５にはガイド部１５ａ２が設けられていることにより、スロットユニット７の挿入は、極めて容易に、また、確実に行うことができる。
【００３２】
各スロット部８ａ，８ｂに２つのスロットユニット７ａ，７ｂの両方が収納された状態を、図８を用いて説明する。
図８は、理解を容易にするため、スロット部８におけるターミナルパネル１０，スロットカバー１２，コネクト基板１３を除いた状態を示している。
【００３３】
この図８において、スロットユニット７ｂにおけるスロットパネル７ｂ３の取り付け面部７ｂ６と、スロットユニット７ａにおけるスロットパネル７ａ３の取り付け面部７ｂ６とは反対側の端部側とが厚さ方向に重なり合い、その状態で両者の貫通孔７ａ７の位置が合致するようになっている。
この合致した貫通孔７ａ７に雄ねじ（図示せず）を通し、ターミナルパネル１０に形成した延出部８ｆの雌ねじに８ｆ螺合させる。
すなわち、２つのスロットユニット７ａ，７ｂをターミナルパネル１０にねじで固定する際に、両者の隣接する側の貫通孔が共通のねじで共締めできるので、使用するねじの本数が少なくて済み、また、ねじ締めの工数も低減する。
さらに、各スロットユニット７ａ，７ｂのスロットパネル７ａ３，７ｂ３間に隙間が生じていないので、外部への電磁波の漏出が抑えられると共に、外部からの電磁波の影響を受けにくくなり、ＥＭＣが向上する。
【００３４】
このようにして２つのスロットユニット７ａ，７ｂをスロット部８ａ，８ｂに収納した状態を図９に示す。この図９において、スロット部８はスロットカバー１２が装着された状態が示されている。
この状態において、スロットユニット７ａの取り付け面部７ａ６の裏面（図９の反対側となる面）は、ターミナルパネル１０に形成された突出部８ｄの表面に当接し、取り付け面部７ａ６に形成された３つの貫通孔７ａ７の内の真ん中の貫通孔７ａ７ｃに雄ねじ（図示せず）が通され突出部８ｄに形成された雌ねじ８ｅと螺合することでスロットパネル７ａ３の段部７ａ５側がスロット部８ａに固定される。
従って、スロットユニット７ａとターミナルパネル１０との間においても、両者が重なり合う部分があるので、外部への電磁波の漏出がより抑えられると共に、外部からの電磁波の影響をより受けにくくなり、ＥＭＣが一段と向上する。
【００３５】
ところで、スロットユニット７を１スロットタイプとしてその幅Ｄｓｕを、そのスロットパネル７ｂ３における貫通孔７ａ７の長手方向間距離と規定する（図６参照）と、実施例の電子機器は、幅Ｄｓｕの２倍の幅Ｄｓｕ２を有する２スロットタイプのスロットユニット１０７をスロット部８に収納することができる。
この２スロットタイプのスロットユニット１０７を図１０及び図１１を用いて説明する。
【００３６】
図１０は、２スロットタイプのスロットユニット１０７を示す斜視図である。
このスロットユニット１０７は、１枚の拡張基板１１４と、この拡張基板１１４の一面側に回路パターンや搭載部品を概ね覆うよう設けられた２つのユニットシャーシ１０７ａ１と、他面側に回路パターン等を概ね覆うよう設けられた２つのシールドカバー１０７ａ２と、拡張基板１１４の回路パターンと電気的に接続された一対のコネクタ群１１４ａ３と、一対のハンドル１０７ａ４が固定されたスロットパネル１０７ａ３とにより構成されている。
【００３７】
拡張基板１１４は、１スロットタイプの２つのスロットユニット７ａ，７ｂがスロット部８ａ，８ｂにそれぞれ収容された際の各スロットユニット７ａ，７ｂに納められた２枚の拡張基板１４の外形に相当する形状の基板である。従って、拡張基板１４の２倍よりも大きい面積を有する。
すなわち、１スロットタイプ２枚分の基板よりも広い面積を１枚で有するものであるから、配線パターンのレイアウトにおいて設計自由度が増し、また、配線の引き回し長を短くできるので電流損失が少ない。
【００３８】
この拡張基板１１４におけるスロットパネル１０７ａ３の反対側には、一対のコネクタ１１４ａ１が、スロット部８におけるコネクト基板１３のコネクタ１３ａ及びコネクタ１３ｂにそれぞれ挿抜可能ように設けられている。
【００３９】
スロットパネル１０７ａ３は、略長方形状であり、その長手方向の一端部側（図１０の左側）には、図１０の手前側にスロットパネル１０７ａ３の板厚分だけ突出する段部１０７ａ５が形成されており、他端部側の隅部及び段部１０７ａ５により一段手前側に突出した取り付け面部１０７ａ６には、このスロットユニット１０７ａをスロット部８に収納した際に、ターミナルパネル１０とねじで結合するための貫通孔１０７ａ７が合計７箇所設けられている。
具体的には、スロットパネル１０７ａの、取り付け面部１０７ａ６に３箇所、その反対側端部に２箇所、そして、中央部に２箇所である。
【００４０】
ユニットシャーシ１０７ａ１及びシールドカバー１０７ａ２は、それぞれ１スロットタイプのスロットユニット７で用いるユニットシャーシ７ａ１及びシールドカバー１０７ａ２が流用され、これらは、１スロットタイプのスロットユニット７ａ，７ｂがスロット部８ａ，８ｂに収納された状態でのユニットシャーシ７ａ１，７ｂ１及びシールドカバー７ａ２７ｂ２の位置と同じ位置になるように取り付けられている。
各ユニットシャーシ１０７ａ１は、スロットパネル１０７ａに沿う方向の断面が略コ字状に形成され、各面には穿設された複数の放熱孔１０７ａ８を有している。また、その両側面１０７ａ１ｓは、このスロットユニット１０７がスロット部８に対して挿抜される際に、スロットガイド１５の突起１５ａ１が略当接する構成とされている。
【００４１】
このような２スロットタイプのスロットユニット１０７がスロット部８に収納された状態を図１１に示す。この図１１は、スロットユニット１０７のスロットパネル１０７ａ３を外した状態を示している。
また、理解容易のために１スロットタイプのスロットユニット７ａ，７ｂを収納した場合と、２スロットタイプのスロットユニット１０７を収納した場合を図１２に示す。この図１２においては、スロットベース１１と、各スロットユニット７ａ，７ｂ，１０７のユニットシャーシ７ａ１，７ｂ１，１０７ａ１及び拡張基板１４ａ，１４ｂ，１１４のみを記載している。
【００４２】
この図１１及び図１２において、スロットユニット１０７は、１スロットタイプのスロットユニット７のユニットシャーシ７ａ１，７ｂ１と同じ位置にユニットシャーシ１０７ａ１を備えており、そのユニットシャーシ１０７ａ１の各側面１０７ａ１ｓに列Ｌ１〜列Ｌ４のユニットガイド１５の突起１５ａ１が略当接するようにして案内される。
従って、この実施例の電子機器は、拡張基板１４ａ，１４ｂの２倍以上の面積を有する拡張基板１１４を収納する場合においても、１スロットタイプのスロットユニット７を収納するために利用されるスロット部８側のガイド部材を外す等の作業を何ら行うことなく、１スロットタイプが収納されるスロット部そのままの状態で２スロットタイプのスロットユニット１０７を容易に挿入して収納できる。
【００４３】
本発明の実施例は、上述した構成及び手順に限定されるものではなく、本発明の要旨を逸脱しない範囲において変形例としてもよいのは言うまでもない。
【００４４】
１スロットタイプのスロットユニットと共用されるとしたユニットシャーシ１０７ａ１を、列Ｌ１と列Ｌ４とのみ当接する側面を有する１つのユニットシャーシ１０７ａ１としてもよい。
この場合は、例えば、ユニットシャーシ１０７ａ１の中央部付近を凹ませて凹部１０７ａ９を形成し、その側壁の表面１０７ａ９ｓをスロットガイドの列Ｌ２，Ｌ３により案内する構成〔図１３（ａ）参照〕にしたり、ユニットシャーシ７ａ１を、スロットユニット１０７の挿抜の際に列Ｌ２及び列Ｌ３のユニットガイド１５と干渉しないよう形成した欠落部であるスリット１０７ａ１０を設ける構成〔図１３（ｂ）参照〕としておけばよい。
【００４５】
また、拡張基板１１４の幅Ｗｐ（図１２参照）は、この幅Ｗｐより小さい任意の幅Ｗｐ１としてもよい〔図１３（ｃ）参照〕。
従って、実施例の電子機器は、拡張する機能に応じた任意の面積の拡張基板、換言するならば、任意の幅の拡張基板をそのサイズに合わせた専用のスロットユニットを用いることなく電子機器に収納することが可能であり、基板はその面付け効率が向上してコストダウンが可能になり、スロット構造としての汎用性が極めて高い。
【００４６】
上述した実施例のスロット構造は、２つのスロットユニットをそのユニットが収納した基板の面に沿う方向に並列に２つ装着可能なように２つのスロット部を有する構成としたが、上述したように、２つに限らず、並列に３つ以上のスロットユニットを装着可能なように３つ以上のスロット部を有する構成としてもよい。
その場合、２つのスロット部に跨って装着される２スロットタイプのスロットユニットに限らず、３つのスロット部に跨って装着される３スロットタイプのスロットユニットを収納してもよいのは言うまでもない。
この実施例の構成によれば、スロット部の数をｎ（ｎ：２以上の正の整数）としたときに、連接するｍ個（ｍ：ｍ≦ｎなる正の整数）のスロットユニットを占有するｍスロットタイプのスロットユニットを適宜選択して収納することができる。
すなわち、ユニットシャーシ１０７ａ１を複数備えた場合は、挿抜方向に延在するそれぞれの側面の内の２つの側面１０７ａ１ｓに対して、ガイド部１５が互いに対向する方向から略当接しスロットユニット１０７の挿抜を案内することで、その収納作業が容易になっている。
また、ユニットシャーシ１０７ａ１を一つだけ備えた場合は、挿抜方向に延在する一対の側面１０７ａ１ｓと、その側面１０７ａ１ｓ間に形成した挿抜方向に延在する凹部７ａ９１の表面（側面）７ａ９ｓとの内の少なくとも２つの面に対して、互いに対向する方向から略当接しスロットユニットの挿抜を案内することで、容易な収納を可能としている。
いずれの場合においても、案内に供しないガイド部があれば、スロットユニット側のスロットシャーシや他の部材における、そのガイド部の挿抜の際の相対的移動軌跡付近の部材を欠落させて、互いに干渉しないよう各部材の形状を設定する。
【００４７】
以上、詳述したように、実施例の電子機器は、拡張する基板を支持したスロットユニットの複数を、基板の面に沿う方向に電子機器内に装着できるので、複数の拡張基板を収納しても、電子機器の厚さが増加することがなく、電子機器を厚さが増加するのを抑制することができる。
【００４８】
また、スロットユニットの挿抜の際の案内を、スロットユニットの側面側で行うので、スロット部の高さ寸法が増加することがなく、電子機器の厚さが増加するのをより抑制することができる。
また、隣接するスロットユニット間のパネルを重ね合わせるようにしてあるので、外部への電磁波の漏出を抑えると共に外部からの電磁波の影響を受けにくくなり、ＥＭＣが向上する。
さらに、最も端に収納されたスロットユニットとターミナルプレートと間にも、パネル同士が重ね合う部分を設けてあるので、外部への電磁波の漏出をより抑えることができると共に外部からの電磁波の影響をより受けにくくなり、ＥＭＣを更に向上させることができる。
【００４９】
一方、実施例によれば、複数設けたスロット部全体の長手方向長さが短縮される。これについて図１４を用いて説明する。
図１４（ａ）は比較例１の模式図である。この比較例１は、実施例とは異なり、スロット部８ａ，８ｂの開口部８ａ１，８ｂ１を、それらを連結する連結開口部８ｃを形成せずにそれぞれ独立して設けた例である。
また、ターミナルパネル１０には、各開口部８ａ，８ｂの隅部に対応して雌ねじ８ｅが４つずつ計８箇所形成されている。
破線はこのスロット部８ａ，８ｂに収納されたスロットユニット７ａ，７ｂのスロットパネル７ａ３，７ｂ３の外形を示している。また、各スロットパネル７ａ３，７ｂ３の総幅はＷｐである。
この比較例１においては、各スロットユニット７ａ，７ｂが隣接する隣接部Ｒでは、突き合わされたスロットパネル７ａ３，７ｂ３間に隙間が生じているものの、ターミナルパネル１０がその隙間を塞いでいるのでＥＭＣとしては比較的良好である。
もちろん、この比較例１は、複数のスロット部に跨って大きな基板を有する２スロットタイプ等のスロットユニットを収納することはできない。
【００５０】
図１４（ｂ）は比較例２の模式図である。この比較例２は、比較例１に対して例えば２スロットタイプのスロットユニットを収納できるように幅Δｗなる連結開口部８８ｃ（斜線部の範囲）を設けた例である。
ターミナルパネル１０の連結開口部８８ｃに対応する部位には、スロットパネル７ａ３，７ｂ３をそれぞれ固定する雌ねじ８ｅが二対設けられている。
破線は比較例１と同様に、このスロット部８ａ，８ｂに収納されたスロットユニット７ａ，７ｂのスロットパネル７ａ３，７ｂ３の外形を示し、各スロットユニット７ａ，７ｂの総幅はＷｐである。
この比較例２では、スロットパネル７ａ３，７ｂ３間に隙間が生じている隣接部Ｒの連結開口部８８ｃに対応する範囲Ｒ２において、ターミナルパネルが存在していない。従って、比較例１よりもＥＭＣは劣性となる。
【００５１】
これらの比較例に対して、実施例は、図１４（ｃ）に示すように、ターミナルパネル１０の連結開口部８ｃ（斜線部の範囲）に対応する部位に、スロットパネル７ａ３，７ｂ３を共締めする雌ねじ８ｅを一対のみ設けてある。
また、それに伴い、連結開口部８ｃの幅もΔｗ／２と短くなっている。
そして、上述したように、この連結開口部８ｃに対応してスロットパネル７ａ３，７ｂ３が一部重ね合わされ、雌ねじ８ｅを利用してターミナルパネル１０に共締め固定される。
従って、この実施例は、スロットパネル７ａ３，７ｂ３間に隙間が生じることがなくターミナルパネルを含めて２重以上にパネルが重なりあっているので、比較例１よりもＥＭＣが良好であると共に各スロットパネル７ａ３，７ｂ３の総幅を例えばＷｐ−（Δｗ）／２として各比較例よりも短くできるというメリットを有している。
【００５２】
さらに、この実施例によれば、異なるサイズの拡張基板を、共通の収納構造で収納できるので、その基板のサイズに応じた専用のスロットユニットを作成する必要がなく、部品の共通化が図れてコストアップを抑制することができる。
【００５３】
また、１つのスロット部を占有するスロットユニットや、２つ以上の複数のスロット部を占有するスロットユニットを、適宜選択して、また、適宜組み合わせてスロット部に何ら変更を加えることなく収納できるので、スロットユニットの取り付けや交換の作業が極めて容易となる。
【００５４】
上述した電子機器の実施例は、画像表示装置であったが、上述したようにこれに限るものではない。画像入力装置，測定機器，ＰＣ（パーソナルコンピュータ），音響再生装置，通信機器、一般的な電子機器に適用できるものであることは言うまでもない。
【図面の簡単な説明】
【００５５】
【図１】本発明の電子機器の実施例を示す斜視図である。
【図２】本発明の電子機器の実施例における要部を説明するための第１分解図である。
【図３】本発明の電子機器の実施例における要部を説明するための第２分解図である。
【図４】本発明の電子機器の実施例における要部の第１分解図である。
【図５】本発明の電子機器の実施例における要部の第２分解図である。
【図６】本発明の電子機器の実施例におけるスロットユニットを説明する斜視図である。
【図７】本発明の電子機器の実施例におけるスロットユニットの挿抜過程を説明するための平面図である。
【図８】本発明の電子機器の実施例におけるスロットユニットの収納状態を説明するための斜視図である。
【図９】本発明の電子機器の実施例におけるスロットユニットの収納状態を説明するための他の斜視図である。
【図１０】本発明の電子機器の実施例における他のスロットユニットを説明する斜視図である。
【図１１】本発明の電子機器の実施例における他のスロットユニットの収納状態を説明する図である。
【図１２】本発明の電子機器の実施例におけるスロットユニットと他のスロットユニットとの収納状態を比較説明する図である。
【図１３】本発明の電子機器の実施例における変形例を説明する図である。
【図１４】図１４は、本発明の電子機器の実施例が奏する一効果を説明する図である。
【図１５】従来の電子機器を説明する斜視図である。
【符号の説明】
【００５６】
１  液晶表示パネル
１ａ  表示面
２  枠部
３  バックパネル
３ａ  放熱孔
３ｂ  取り付け孔
４  筐体
５  電子回路部
６  シャーシ
７（７ａ，７ｂ）  スロットユニット
７ａ１，７ｂ１  ユニットシャーシ
７ａ２，７ｂ２  シールドカバー
７ａ３，７ｂ３  スロットパネル
７ａ４  ハンドル
７ａ５  段部
７ａ６  取り付け面部
７ａ７，７ａ７ｃ  貫通孔
７ａ８  放熱孔
８ａ，８ｂ  スロット部
８ａ１，８ｂ１  開口部
８ａ２，８ｂ２  収納部
８ｃ  連結開口部
８ｄ  突出部
８ｅ  雌ねじ
８ｆ  延出部
９  ベース基板
１０  ターミナルパネル
１１  スロットベース
１１ａ  折り曲げ部
１２  スロットカバー
１３  コネクト基板
１３ａ，１３ｂ  コネクタ
１４（１４ａ，１４ｂ）  拡張基板
１４ａ１，１４ｂ１  コネクタ
１４ａ２，１４ｂ２  回路パターン（配線パターン）
１５  ユニットガイド
１５ａ  基面部
１５ａ１  突起
１５ａ２  ガイド部
５０  画像表示装置（電子機器）
５１ａ  電源入力端子
５１ｂ  入出力端子群
１０７  （２スロットタイプの）スロットユニット
１０７ａ１  ユニットシャーシ
１０７ａ２  シールドカバー
１０７ａ９  凹部
１０７ａ９ｓ  （側壁の）表面
１０７ａ１０  スリット（欠落部）
１１４  拡張基板
１１４ａ  コネクタ
Ｐ  パネル部
Ｒ  隣接部
【図１】
0004720432.tif 000002
【図２】
0004720432.tif 000003
【図３】
0004720432.tif 000004
【図４】
0004720432.tif 000005
【図５】
0004720432.tif 000006
【図６】
0004720432.tif 000007
【図７】
0004720432.tif 000008
【図８】
0004720432.tif 000009
【図９】
0004720432.tif 000010
【図１０】
0004720432.tif 000011
【図１１】
0004720432.tif 000012
【図１２】
0004720432.tif 000013
【図１３】
0004720432.tif 000014
【図１４】
0004720432.tif 000015
【図１５】
0004720432.tif 000016